(57)【要約】【課題】被写体の明るさが暗い状態に変化した場合や、被写体の移動速度が変化した場合などにおいても、動画表示のフレームレートや解像度を適宜制御することができ、快適な視認性を確保することができる撮像装置、撮像制御方法、およびプログラムを提供する。【解決手段】撮像素子上に配置された複数の画素からの画素信号の読み出しを制御する読出制御部と、静止画用および動画用の画素信号の読み出しに係わる画素信号読出シーケンスを含み、かつ、連写を行いながら動画表示を行うことを目的とした第１の読出シーケンスを、少なくとも設定可能な読出シーケンス設定部と、読み出された画素信号に基づいて、第１の読出シーケンス内の一つ以上の画素信号読出シーケンスの設定を制御する信号読出シーケンス制御部と、を備える。【選択図】図１
2012023497.tif 000002
【特許請求の範囲】
【請求項１】
撮像素子上に配置された複数の画素からの画素信号の読み出しを制御する読出制御部と、
静止画用および動画用の前記画素信号の読み出しに係わる画素信号読出シーケンスを含み、かつ、連写を行いながら動画表示を行うことを目的とした第１の読出シーケンスを、少なくとも設定可能な読出シーケンス設定部と、
前記読み出された画素信号に基づいて、前記第１の読出シーケンス内の一つ以上の前記画素信号読出シーケンスの設定を制御する信号読出シーケンス制御部と、
を備えることを特徴とする撮像装置。
【請求項２】
前記信号読出シーケンス制御部は、
過去に実行された読出シーケンスによって読み出された画素信号に基づいて、前記第１の読出シーケンス内の前記画素信号読出シーケンスの設定を制御する、
ことを特徴とする請求項１に記載の撮像装置。
【請求項３】
前記読出シーケンス設定部は、さらに、
動画表示のみを目的として前記画素信号を読み出す第２の読出シーケンスを設定可能であり、
前記過去に実行された読出シーケンスは、
前記第１の読出シーケンスによって前記画素信号を読み出す前に実行された前記第２の読出シーケンスである、
ことを特徴とする請求項２に記載の撮像装置。
【請求項４】
前記信号読出シーケンス制御部は、
前記画素信号に基づいて、目標となりうる連写速度を設定し、
該設定した目標となりうる連写速度による連写を実現するように、実行する前記第１の読出シーケンス内の前記画素信号読出シーケンスの設定を制御する、
ことを特徴とする請求項１に記載の撮像装置。
【請求項５】
前記画素信号に基づいて、該画素信号に含まれる被写体の輝度を検出する輝度検出部、
を備え、
前記信号読出シーケンス制御部は、
前記輝度検出部が検出した前記被写体の輝度に基づいて、前記目標となりうる連写速度を設定する、
ことを特徴とする請求項４に記載の撮像装置。
【請求項６】
前記信号読出シーケンス制御部は、
前記輝度検出部が検出した前記被写体の輝度が所定の輝度の閾値よりも小さい場合に、前記目標となりうる連写速度を小さくする、
ことを特徴とする請求項５に記載の撮像装置。
【請求項７】
前記信号読出シーケンス制御部は、
前記輝度検出部が検出した前記被写体の輝度が所定の輝度の閾値よりも大きい場合に、前記目標となりうる連写速度を大きくする、
ことを特徴とする請求項５に記載の撮像装置。
【請求項８】
前記画素信号に基づいて、該画素信号に含まれる被写体が移動する速度を検出する移動速度検出部、
を備え、
前記信号読出シーケンス制御部は、
前記移動速度検出部が検出した前記被写体の移動速度に基づいて、前記目標となりうる連写速度を設定する、
ことを特徴とする請求項４に記載の撮像装置。
【請求項９】
所定時間内の前記第１の読出シーケンスは、
連写における静止画用のデータを取得することを目的として前記画素信号を読み出す静止画読出シーケンスと、動画用のデータを取得することを目的として前記画素信号を読み出す動画読出シーケンスとをそれぞれ一つ以上含み、
前記信号読出シーケンス制御部は、
前記設定した目標となりうる連写速度が所定の速度の閾値よりも小さい場合に、該第１の読出シーケンスにおいて実行される前記静止画読出シーケンスと、前記動画読出シーケンスとの少なくとも一つ以上の画素信号読出シーケンスに対して、画素信号読出シーケンスを実行する数および画素信号読出シーケンスを実行する時間の幅の内、少なくとも一つ以上を増加させるように制御する、
ことを特徴とする請求項４に記載の撮像装置。
【請求項１０】
所定時間内の前記第１の読出シーケンスは、
連写における静止画用のデータを取得することを目的として前記画素信号を読み出す静止画読出シーケンスと、動画用のデータを取得することを目的として前記画素信号を読み出す動画読出シーケンスとをそれぞれ一つ以上含み、
前記信号読出シーケンス制御部は、
前記設定した目標となりうる連写速度が所定の速度の閾値よりも大きい場合に、該第１の読出シーケンスにおいて実行される前記静止画読出シーケンスと、前記動画読出シーケンスとの少なくとも一つ以上の画素信号読出シーケンスに対して、画素信号読出シーケンスを実行する数および画素信号読出シーケンスを実行する時間の幅の内、少なくとも一つ以上を減少させるように制御する、
ことを特徴とする請求項４に記載の撮像装置。
【請求項１１】
前記目標となりうる連写速度の中で最大の連写速度を最大連写速度として取得する最大連写速度取得部、
をさらに備え、
前記信号読出シーケンス制御部は、
前記輝度検出部が検出した前記被写体の輝度が所定の輝度の閾値よりも大きい場合に、前記最大連写速度取得部が取得した前記最大連写速度による連写を実現するように、実行する前記第１の読出シーケンス内の前記画素信号読出シーケンスの設定を制御する、
ことを特徴とする請求項５に記載の撮像装置。
【請求項１２】
前記目標となりうる連写速度の中で最大の連写速度を最大連写速度として取得する最大連写速度取得部、
をさらに備え、
前記信号読出シーケンス制御部は、
前記移動速度検出部が検出した前記被写体の移動速度が所定の速度の閾値よりも大きい場合に、前記最大連写速度取得部が取得した前記最大連写速度による連写を実現するように、実行する前記第１の読出シーケンス内の前記画素信号読出シーケンスの設定を制御する、
ことを特徴とする請求項８に記載の撮像装置。
【請求項１３】
前記動画用のデータを表示する際の許容解像度の下限を示す下限解像度の情報を取得する下限解像度取得部、
をさらに備え、
前記最大連写速度取得部は、
前記下限解像度取得部が取得した前記下限解像度の情報に基づいて、前記最大連写速度を取得する、
ことを特徴とする請求項１１または請求項１２に記載の撮像装置。
【請求項１４】
前記最大連写速度取得部は、
前記動画用のデータに基づいて生成される画像の解像度が、前記下限解像度以上であるという制約下において最大の連写速度を、前記最大連写速度として取得する、
ことを特徴とする請求項１３に記載の撮像装置。
【請求項１５】
前記目標となりうる連写速度の中で最大の連写速度を最大連写速度として取得する最大連写速度取得部、
をさらに備え、
前記信号読出シーケンス制御部は、
前記輝度検出部が検出した前記被写体の輝度が所定の輝度の閾値よりも大きい場合に、現在の前記第１の読出シーケンスにおける前記最大連写速度から、連写速度を順次下げていくように、実行する前記第１の読出シーケンス内の前記画素信号読出シーケンスの設定を制御する、
ことを特徴とする請求項５に記載の撮像装置。
【請求項１６】
前記目標となりうる連写速度の中で最大の連写速度を最大連写速度として取得する最大連写速度取得部、
をさらに備え、
前記信号読出シーケンス制御部は、
前記移動速度検出部が検出した前記被写体の移動速度が所定の速度の閾値よりも大きい場合に、現在の前記第１の読出シーケンスにおける前記最大連写速度から、連写速度を順次下げていくように、実行する前記第１の読出シーケンス内の前記画素信号読出シーケンスの設定を制御する、
ことを特徴とする請求項８に記載の撮像装置。
【請求項１７】
前記目標となりうる連写速度の中で最大の連写速度を最大連写速度として取得する最大連写速度取得部と、
前記目標となりうる連写速度で実行される、前記第１の読出シーケンスによる連写における連写速度の是非に関する入力指示を受け付ける入力受付部と、
をさらに備え、
前記信号読出シーケンス制御部は、
前記入力受付部が受け付けた前記入力指示が非であることを示している間、該第１の読出シーケンスにおける連写速度を、前記最大連写速度から順次下げていくように該第１の読出シーケンス内の前記画素信号読出シーケンスの設定を制御する、
ことを特徴とする請求項４に記載の撮像装置。
【請求項１８】
前記入力指示の入力を要求するための情報を出力する出力部、
をさらに備える、
ことを特徴とする請求項１７に記載の撮像装置。
【請求項１９】
前記読出制御部は、
静止画用のデータを取得するために前記複数の画素の露光を行うとき、
全ての前記画素の露光開始タイミングと露光期間とを同一とするように制御する、
ことを特徴とする請求項１に記載の撮像装置。
【請求項２０】
前記信号読出シーケンス制御部によって、前記第１の読出シーケンス内の一つ以上の前記画素信号読出シーケンスの設定が制御された場合に、該制御された画素信号読出シーケンスに関する情報を出力する出力部、
をさらに備える、
ことを特徴とする請求項１に記載の撮像装置。
【請求項２１】
撮像素子上に配置された複数の画素からの画素信号の読み出しを制御する読出制御部と、
静止画用および動画用の前記画素信号の読み出しに係わる画素信号読出シーケンスを含み、かつ、連写を行いながら動画表示を行うことを目的とした第１の読出シーケンスを、少なくとも設定可能な読出シーケンス設定部と、
被写体の輝度を検出する輝度検出部と、
前記輝度検出部が検出した前記被写体の輝度に基づいて、前記第１の読出シーケンス内の一つ以上の前記画素信号読出シーケンスの設定を制御する信号読出シーケンス制御部と、
を備えることを特徴とする撮像装置。
【請求項２２】
撮像素子上に配置された複数の画素からの画素信号の読み出しを制御する読出制御部と、
静止画用および動画用の前記画素信号の読み出しに係わる画素信号読出シーケンスを含み、かつ、連写を行いながら動画表示を行うことを目的とした第１の読出シーケンスを、少なくとも設定可能な読出シーケンス設定部と、
被写体が移動する速度を検出する移動速度検出部と、
前記移動速度検出部が検出した前記被写体の移動速度に基づいて、前記第１の読出シーケンス内の一つ以上の前記画素信号読出シーケンスの設定を制御する信号読出シーケンス制御部と、
を備えることを特徴とする撮像装置。
【請求項２３】
撮像素子上に配置された複数の画素からの画素信号の読み出しを制御する読出制御ステップと、
静止画用および動画用の前記画素信号の読み出しに係わる画素信号読出シーケンスを含み、かつ、連写を行いながら動画表示を行うことを目的とした第１の読出シーケンスを、少なくとも設定可能な読出シーケンス設定ステップと、
前記読み出された画素信号に基づいて、前記第１の読出シーケンス内の一つ以上の前記画素信号読出シーケンスの設定を制御する信号読出シーケンス制御ステップと、
を含むことを特徴とする撮像制御方法。
【請求項２４】
撮像素子上に配置された複数の画素からの画素信号の読み出しを制御する読出制御ステップと、
静止画用および動画用の前記画素信号の読み出しに係わる画素信号読出シーケンスを含み、かつ、連写を行いながら動画表示を行うことを目的とした第１の読出シーケンスを、少なくとも設定可能な読出シーケンス設定ステップと、
前記読み出された画素信号に基づいて、前記第１の読出シーケンス内の一つ以上の前記画素信号読出シーケンスの設定を制御する信号読出シーケンス制御ステップと、
をコンピュータに実行させることを特徴とするプログラム。
【発明の詳細な説明】
【技術分野】
【０００１】
本発明は、撮像装置、撮像制御方法、およびプログラムに関する。
【背景技術】
【０００２】
近年、デジタルカメラ、デジタルビデオカメラ、内視鏡などの静止画像の撮影機能を有する撮像装置（電子カメラ）においては、例えば、撮像素子から連続的に得られた画像信号を連続的に電子ファインダやモニタなどの表示装置に表示させる、いわゆるライブビュー表示の機能が多く利用されている。しかし、近年の電子カメラでは、撮像素子の高画素化も進んでおり、これに伴って撮像素子から画像信号を読み出すために要する時間が長くなってきている。
【０００３】
そこで、上記の課題を解決するための方法として、動画（ライブビュー）表示のときには、撮像素子からの画像信号を間引いて読み出し、１回の動画用の画像信号の読み出し期間を短くすることによって、コマ（フレーム）落ちしない動画表示をさせる技術がある（特許文献１参照）。特許文献１に開示された技術では、レリーズ操作を受けて静止画像を記録するとき、動画の表示を固定（フリーズ）させた状態にして、全ての画素からの静止画像用の画像信号の読み出しを行う。そして、静止画像用の画像信号の読み出しが終了した後に、動画表示を再開するようにしている。さらに、特許文献１に開示された技術では、静止画像の連続撮影（連写）のとき、最初に記録される静止画像と、次に記録される静止画像との間に、動画の表示をさせるようにしている。
【先行技術文献】
【特許文献】
【０００４】
【特許文献１】特開２００３−２２４７６０号公報
【発明の概要】
【発明が解決しようとする課題】
【０００５】
しかしながら、特許文献１に開示されている技術では、静止画像用の画像信号を取得している期間、表示装置の動画の表示が黒表示の状態（ブラックアウト）や、同じ画面が続けて表示される状態（フリーズ）となっている。このような状態のときに、例えば、撮影状況が被写体の移動速度が大きいシーンに変化した場合、表示されている動画の画像を確認しながら被写体の動きに追従することができず、動画表示の画像と実際に撮影される静止画像とが全く異なってしまうという問題がある。その結果、動画の表示画面を視認して撮影を行っている撮像装置のユーザー（撮影者）は、非常に大きな不快感を覚えることとなる。
【０００６】
また、特許文献１に開示されている技術では、連続撮影する静止画像と静止画像との間に動画表示を行っている。この連続撮影中の動画表示のフレームレート（動画表示の更新周期）が低い（動画表示が遅い）場合、表示装置に表示される動画の画像の動きがカクカクするなど、断続的な動きとなってしまう。このような状態の動画表示では、ユーザーは快適に被写体の動きを視認することができない。
【０００７】
このような状態を解決するため、動画用の画像信号を撮像素子から読み出す際の間引きの割合を多くすることが考えられる。この方法では、１回の動画用の画像信号の読み出しに要する時間をさらに短くすることができるため、動画表示のフレームレートが高く（動画表示を速く）なり、連続撮影中の動画表示を滑らかにすることができる。
【０００８】
しかしながら、撮像素子から読み出す動画用の画像信号の間引きの割合を多くすると、動画の画像の解像度が下がってしまう。特に、被写体の明るさが暗いシーンでは、表示する動画の画像の解像度が低下したことに起因して、被写体の視認性の低下が顕著になってしまうという問題がある。そのため、被写体の明るさや被写体の移動速度が変化した場合においても、撮像装置のシステム全体として快適な視認性と撮影性能を確保できることが望まれている。
【０００９】
本発明は、上記の課題認識に基づいてなされたものであり、被写体の明るさが暗い状態に変化した場合や、被写体の移動速度が変化した場合などにおいても、動画表示のフレームレートや解像度を適宜制御することができ、快適な視認性を確保することができる撮像装置、撮像制御方法、およびプログラムを提供することを目的としている。
【課題を解決するための手段】
【００１０】
上記の課題を解決するため、本発明のある態様に係る撮像装置は、撮像素子上に配置された複数の画素からの画素信号の読み出しを制御する読出制御部と、静止画用および動画用の前記画素信号の読み出しに係わる画素信号読出シーケンスを含み、かつ、連写を行いながら動画表示を行うことを目的とした第１の読出シーケンスを、少なくとも設定可能な読出シーケンス設定部と、前記読み出された画素信号に基づいて、前記第１の読出シーケンス内の一つ以上の前記画素信号読出シーケンスの設定を制御する信号読出シーケンス制御部と、を備える。
【００１１】
また、本発明のある態様に係る撮像装置は、撮像素子上に配置された複数の画素からの画素信号の読み出しを制御する読出制御部と、静止画用および動画用の前記画素信号の読み出しに係わる画素信号読出シーケンスを含み、かつ、連写を行いながら動画表示を行うことを目的とした第１の読出シーケンスを、少なくとも設定可能な読出シーケンス設定部と、被写体の輝度を検出する輝度検出部と、前記輝度検出部が検出した前記被写体の輝度に基づいて、前記第１の読出シーケンス内の一つ以上の前記画素信号読出シーケンスの設定を制御する信号読出シーケンス制御部と、を備える。
【００１２】
また、本発明のある態様に係る撮像装置は、撮像素子上に配置された複数の画素からの画素信号の読み出しを制御する読出制御部と、静止画用および動画用の前記画素信号の読み出しに係わる画素信号読出シーケンスを含み、かつ、連写を行いながら動画表示を行うことを目的とした第１の読出シーケンスを、少なくとも設定可能な読出シーケンス設定部と、被写体が移動する速度を検出する移動速度検出部と、前記移動速度検出部が検出した前記被写体の移動速度に基づいて、前記第１の読出シーケンス内の一つ以上の前記画素信号読出シーケンスの設定を制御する信号読出シーケンス制御部と、を備える。
【００１３】
また、本発明のある態様に係る撮像制御方法は、撮像素子上に配置された複数の画素からの画素信号の読み出しを制御する読出制御ステップと、静止画用および動画用の前記画素信号の読み出しに係わる画素信号読出シーケンスを含み、かつ、連写を行いながら動画表示を行うことを目的とした第１の読出シーケンスを、少なくとも設定可能な読出シーケンス設定ステップと、前記読み出された画素信号に基づいて、前記第１の読出シーケンス内の一つ以上の前記画素信号読出シーケンスの設定を制御する信号読出シーケンス制御ステップと、を含む。
【００１４】
また、本発明のある態様に係るプログラムは、撮像素子上に配置された複数の画素からの画素信号の読み出しを制御する読出制御ステップと、静止画用および動画用の前記画素信号の読み出しに係わる画素信号読出シーケンスを含み、かつ、連写を行いながら動画表示を行うことを目的とした第１の読出シーケンスを、少なくとも設定可能な読出シーケンス設定ステップと、前記読み出された画素信号に基づいて、前記第１の読出シーケンス内の一つ以上の前記画素信号読出シーケンスの設定を制御する信号読出シーケンス制御ステップと、をコンピュータに実行させる。
【図面の簡単な説明】
【００１５】
【図１】本発明の第１の実施形態における撮像装置の概略構成を示したブロック図である。
【図２】本第１の実施形態の撮像装置における撮像部の概略構成を示したブロック図である。
【図３】本第１の実施形態の撮像部内の画素部における画素の構成例を示した回路図である。
【図４】本第１の実施形態の撮像装置におけるグローバルシャッタ動作のタイミングを示したタイミングチャートである。
【図５】本第１の実施形態の撮像装置におけるローリングシャッタ動作のタイミングを示したタイミングチャートである。
【図６】本第１の実施形態の撮像装置において動画モードのときに読み出される画素部の行の例を示した図である。
【図７】本第１の実施形態の撮像装置において動画表示を行いながら静止画像を連写するタイミングの第１の例を示したタイミングチャートである。
【図８】本第１の実施形態の撮像装置において動画表示を行いながら静止画像を連写するタイミングの第２の例を示したタイミングチャートである。
【図９】本第１の実施形態の撮像装置において動画表示を行いながら静止画像を連写するタイミングの第３の例を示したタイミングチャートである。
【図１０】本第１の実施形態の撮像装置における動画の画素数および周期と静止画像の連写間隔との関係をまとめた図である。
【図１１】本発明の第２の実施形態における撮像装置の概略構成を示したブロック図である。
【図１２】本発明の第３の実施形態における撮像装置の概略構成を示したブロック図である。
【発明を実施するための形態】
【００１６】
＜第１の実施形態＞
以下、本発明の実施形態について、図面を参照して説明する。なお、以下の説明は、例示のために特定の詳細な内容が含まれている。しかし、当業者であれば、以下に説明する詳細な内容に様々な変更を加えた場合であっても、本発明の範囲を超えないことは理解できるであろう。従って、以下に説明する本発明の例示的な実施形態は、権利を請求された発明に対して、一般性を失わせることなく、また、何ら限定をすることもなく、述べられたものである。
【００１７】
図１は、本第１の実施形態における撮像装置の概略構成を示したブロック図である。ここに示した各構成要素は、ハードウェア的には、コンピュータのＣＰＵやメモリをはじめとする素子で実現することができ、ソフトウェア的にはコンピュータプログラムなどによって実現されるものであるが、ここでは、これらの連携によって実現される機能ブロックとして示している。従って、これらの機能ブロックは、ハードウェア、ソフトウェアの組合せによって、様々な形式で実現できるということは、当業者には理解できるであろう。
【００１８】
図１に示した撮像装置１００は、レンズ１と、撮像部２と、画像処理部３と、表示部４と、読出シーケンス設定部６と、信号読出シーケンス制御部７と、駆動制御部８と、レンズ制御部９と、カメラ制御部１０と、カメラ操作部１１と、画像信号検出部１２と、明るさ・速度検出部１３と、を備えている。また、カメラ制御部１０には、連写速度設定部１０１と、解像度設定部１０２と、を備えている。なお、図１に示した撮像装置１００の構成要素であるメモリカード５は、撮像装置１００に対して着脱可能に構成されており、撮像装置１００に固有の構成でなくてもよい。
【００１９】
図１に示した撮像装置１００は、画像信号を読み出す読み出しシーケンスとして、被撮像範囲をリアルタイムに表示する動画（ライブビュー）用の画像信号を読み出す第２の読出シーケンス（以下、「動画表示シーケンス」という）と、連写で複数の静止画像用の画像信号を連続して読み出す間に動画用の画像信号を読み出して動画表示を行う第１の読出シーケンス（以下、「動画表示連写シーケンス」という）を少なくとも有している。
【００２０】
レンズ１は、レンズ制御部９によってレンズ１内に備えるフォーカスレンズの駆動、絞り機構の駆動、シャッタ機構の駆動などが制御され、被写体の光学像を撮像部２に備える撮像素子の撮像面に結像するための撮影レンズである。
【００２１】
撮像部２は、レンズ１によって結像された被写体の光学像を光電変換する固体撮像素子を備え、被写体光に応じた画像信号（デジタル信号）を出力する。また、撮像部２は、少なくとも、全画素の露光開始タイミングおよび露光終了タイミングを一括して制御するグローバルシャッタモードを有しており、駆動制御部８による駆動制御によって、グローバルシャッタ動作を行う。また、撮像部２は、例えば、固体撮像素子内の画素の行単位または画素単位で、露光および画像信号の読み出しを順次制御するローリングシャッタモードも有しており、駆動制御部８による駆動制御によって、ローリングシャッタ動作を行う。そして、撮像部２は、グローバルシャッタ動作またはローリングシャッタ動作によって得た画像信号を、画像処理部３および画像信号検出部１２に出力する。
【００２２】
画像処理部３は、撮像部２から出力された画像信号に種々のデジタル的な画像処理を行う。画像処理部３による画像処理には、例えば、画像信号を記録するための記録用の画像処理や、被写体の画像（動画）を表示部４に表示させるための表示用の画像処理が含まれる。そして、記録用の画像処理を行った画像信号をメモリカード５に、表示用の画像処理を行った画像信号を表示部４に出力する。
【００２３】
表示部４は、例えば、ＬＣＤ（Ｌｉｑｕｉｄ  Ｃｒｙｓｔａｌ  Ｄｉｓｐｌａｙ）などの表示装置を備え、画像処理部３によって表示用の画像処理がされた画像信号に基づいた画像を表示する。表示部４は、撮像装置１００が撮影した静止画像や、メモリカード５に保存されている画像の再生表示をすることができる共に、撮像装置１００が撮影する被撮像範囲をリアルタイムに表示する動画（ライブビュー）表示を行うことができる。また、表示部４は、カメラ制御部１０から入力された情報を表示する。
【００２４】
メモリカード５は、撮像装置１００によって撮影された静止画像を保存するための記録媒体である。メモリカード５には、画像処理部３によって記録用の画像処理がされ、さらに、例えば、圧縮処理などの画像処理が行われた静止画像のデータが記録される。
【００２５】
明るさ・速度検出部１３は、例えば、明るさセンサーなどを備え、撮像装置１００の被撮像範囲の明るさを検出することによって、被写体の明るさを検出する。また、例えば、ジャイロセンサーなどを備え、撮像装置１００自体の動きを検出することによって、被写体が移動する速度を検出する。また、明るさ・速度検出部１３は、検出した被写体の明るさ、および検出した被写体の移動速度を表す情報（以下、「明るさ・速度情報」という）を、カメラ制御部１０に出力する。
【００２６】
読出シーケンス設定部６は、カメラ制御部１０から入力された撮影モード（例えば、単写モード、連写モード、動画（ライブビュー）モードなど）に応じて、撮像装置１００における撮像動作の読み出しシーケンスを設定する。読出シーケンス設定部６によって設定される読み出しシーケンスは、例えば、撮像装置１００のユーザー（使用者）の指示に応じて設定される。
【００２７】
信号読出シーケンス制御部７は、読出シーケンス設定部６によって連写を行いながら動画表示を行う動画表示連写シーケンスが設定されたときに、カメラ制御部１０から入力された動画表示連写シーケンスに関する情報に基づいて、撮像部２内の固体撮像素子から画像信号を読み出すための読み出しシーケンスの種々の設定を制御する。より具体的には、撮像部２内の固体撮像素子から静止画像用の画像信号を読み出すための駆動（静止画読出シーケンス）と、動画用の画像信号を読み出すための駆動（動画読出シーケンス）とを制御する。そして、静止画読出シーケンスおよび動画読出シーケンスに基づいた読み出し指令を、駆動制御部８に出力する。
【００２８】
駆動制御部８は、信号読出シーケンス制御部７またはカメラ制御部１０から入力された読み出し指令に基づいて、撮像部２を駆動し、撮像部２による撮像および露光の動作を制御する。なお、駆動制御部８による撮像部２の駆動制御に関する詳細な説明は、後述する。
【００２９】
レンズ制御部９は、カメラ制御部１０から入力されたレンズ制御指令に基づいて、レンズ１の絞りや焦点位置などを制御する。より具体的には、レンズ制御部９は、カメラ制御部１０から入力されたフォーカス制御指令に基づいて、レンズ１に備えるフォーカスレンズを駆動し、撮像部２に結像される被写体像を合焦させる。また、レンズ制御部９は、カメラ制御部１０から入力された露出制御指令に基づいて、レンズ１に備える絞り機構を駆動し、撮像部２に結像される被写体像の明るさを変化させる。また、レンズ制御部９は、カメラ制御部１０から入力されたシャッタ制御指令に基づいて、レンズ１に備えるシャッタ機構を駆動し、撮像部２に被写体像を結像させる。
【００３０】
カメラ操作部１１は、撮像装置１００のユーザーが、撮像装置１００に対して各種の操作を入力するための操作部である。このカメラ操作部１１に含まれる操作部材の例としては、撮像装置１００の電源をオン／オフするための電源スイッチ、撮像装置１００に静止画像（被写体）の撮影を指示入力するための２段式押圧ボタンであるレリーズボタン、撮像装置１００の撮影モードを単写モード、連写モード、動画（ライブビュー）モードなどに切り替えるための撮影モードスイッチなどがある。カメラ操作部１１は、これらの操作部材によって設定されたカメラの操作情報を、カメラ制御部１０に出力する。
【００３１】
画像信号検出部１２は、撮像部２内の固体撮像素子から読み出された動画用の画像信号に基づいて、撮像装置１００の被写体の明るさおよび被写体が移動する速度を検出する。画像信号検出部１２における被写体の明るさの検出は、例えば、動画用の画像信号に含まれる画素領域の平均値を求めるなどの処理を行うことによって、被写体の明るさ、すなわち、輝度に相当する情報を検出することができる。
【００３２】
また、画像信号検出部１２における被写体の移動速度の検出は、例えば、動画のフレーム間の相関関係を用いることにより検出することができる。より具体的には、例えば、被写体の移動速度Ｖは、被写体のフレーム間のズレ量Ｌと、フレーム間の時間差ΔＴとから、下式（１）のように算出することができる。なお、動画表示は、予め定められた周期で動画のフレームを表示しているため、フレーム間の時間差ΔＴは動画表示の周期と同様の時間である。
【００３３】
Ｖ＝Ｌ／ΔＴ  ・・・・・（１）
【００３４】
画像信号検出部１２は、輝度に相当する情報および被写体の移動速度の情報を、カメラ制御部１０に出力する。
【００３５】
カメラ制御部１０は、撮像装置１００の全体を制御する。カメラ制御部１０は、画像処理部３から入力された記録用の画像処理を行った画像信号、表示用の画像処理を行った画像信号、カメラ操作部１１からの操作入力などに基づいて、撮像装置１００における撮像動作や記録動作に関する制御指令を、読出シーケンス設定部６、信号読出シーケンス制御部７、駆動制御部８、レンズ制御部９に出力する。また、撮像装置１００における撮像動作や記録動作に関する情報を表示部４に出力すると共に、撮像装置１００の設定を促すための指示要求の情報を表示部４に出力する。これにより、撮像装置１００のユーザーは、現在の撮像装置１００の動作状態を確認することができ、また、カメラ操作部１１を操作して撮像装置１００の動作において必要な設定を行うことができる。カメラ制御部１０内には、静止画像を連写する際の連写速度を設定する連写速度設定部１０１と、動画表示の解像度を設定する解像度設定部１０２とを備えている。
【００３６】
連写速度設定部１０１は、ユーザーはカメラ操作部１１を操作して、撮像装置１００の撮影モードを連写モードに切り替えたとき、静止画像を連写する際に目標とする連写速度（目標連写速度）を設定する。また、連写速度設定部１０１は、撮像装置１００における静止画像の撮影条件などによって決まる最大の連写速度の情報を取得する最大連写速度取得機能を有している。そして、連写速度設定部１０１は、取得した最大の連写速度を、静止画像を連写する際の目標連写速度の設定（目標連写速度設定）として設定する。
【００３７】
解像度設定部１０２は、ユーザーはカメラ操作部１１を操作して、撮像装置１００の撮影モードを連写モードに切り替えたとき、動画表示する際の解像度を設定する。また、解像度設定部１０２は、撮像装置１００の表示部４の性能などによって決まる動画の下限の解像度、表示時間および表示回数の情報を取得する下限解像度取得機能を有している。そして、解像度設定部１０２は、取得した下限の解像度、表示時間および表示回数を、表示部４の下限表示の設定（下限表示設定）として設定する。
【００３８】
カメラ制御部１０は、明るさ・速度検出部１３が検出した明るさ・速度情報、または画像信号検出部１２が検出した輝度に相当する情報および被写体の移動速度の情報と、連写速度設定部１０１によって設定された目標連写速度設定と、解像度設定部１０２によって設定された下限表示設定とに基づいて、動画表示連写シーケンスの制御方法を決定する。そして、決定した動画表示連写シーケンスの制御方法を、動画表示連写シーケンスに関する情報として、信号読出シーケンス制御部７に出力する。
【００３９】
次に、本第１の実施形態の撮像装置に備えた撮像部について説明する。図２は、本第１の実施形態の撮像装置１００における撮像部２の概略構成を示したブロック図である。図２において、撮像部２は、グローバルシャッタ機能を持った、例えば、ＭＯＳ（Ｍｅｔａｌ  Ｏｘｉｄｅ  Ｓｅｍｉｃｏｎｄｕｃｔｏｒ：金属酸化膜半導体）型の固体撮像素子２１と、ＡＤ（アナログ−デジタル）変換部２２と、ノイズ除去部２３と、を備えている。また、固体撮像素子２１は、画素部２４と、列処理回路部２５と、垂直制御回路２６と、水平制御回路２７と、を備えている。
【００４０】
画素部２４は、複数の画素２８が、行方向および列方向（図２においては、３行３列）の２次元状に配列されている。なお、画素２８の構成については後述する。
【００４１】
垂直制御回路２６は、画素部２４に配列された画素２８を行単位で制御するための制御信号を、画素２８の行毎に出力する垂直走査回路である。また、垂直制御回路２６は、垂直走査回路の他に、画素２８をリセットするためのリセット制御部、画素２８から信号を読み出すための信号読出制御部を含んでいる。この垂直制御回路２６によって選択された行の画素２８から出力された画素信号は、列毎に設けられている画素２８の出力信号線（後述する図３の垂直信号線ＶＴＬ）に出力される。
【００４２】
列処理回路部２５は、駆動制御部８による駆動制御によって垂直信号線ＶＴＬに出力された画素信号を列毎に処理する。列処理回路部２５による処理には、例えば、画素信号の増幅処理や、固体撮像素子２１をローリングシャッタ動作させたときのノイズ除去のために行う相関二重サンプリング（Ｃｏｒｒｅｌａｔｅｄ  Ｄｏｕｂｌｅ  Ｓａｍｐｌｉｎｇ：ＣＤＳ）の処理が含まれる。
【００４３】
水平制御回路２７は、垂直制御回路２６に選択され、列処理回路部２５から出力された１行分の画素信号を取り込む。そして、水平制御回路２７は、画素２８の水平方向の並び順で取り込んだ画素信号（アナログ画素信号）を、時系列にＡＤ変換部２２に出力する。
【００４４】
ＡＤ変換部２２は、固体撮像素子２１から出力されたアナログ画素信号を、デジタルの画素信号（デジタル画素信号）に変換する。そして、ＡＤ変換部２２は、変換したデジタル画像信号をノイズ除去部２３に出力する。なお、列処理回路部２５内にＡＤ変換回路を備えている場合には、ＡＤ変換回路２２は不要である。
【００４５】
ノイズ除去部２３は、固体撮像素子２１がグローバルシャッタ動作を行うときに、ＡＤ変換部２２から出力されたデジタル画像信号に、ノイズ除去の処理を行う。このノイズ除去の処理が行われたデジタル画像信号が、撮像部２から出力される被写体光に応じた画像信号として、画像処理部３および画像信号検出部１２に出力される。
【００４６】
＜画素構成＞
次に、本第１の実施形態の撮像装置に備えた撮像部における画素の構成例について説明する。図３は、本第１の実施形態の撮像部２内の画素部２４における画素２８の構成例を示した回路図である。なお、図３では、２つの画素２８を表している。図３に示した画素２８は、フォトダイオードＰＤ、信号蓄積部ＦＤ、転送トランジスタＭｔｘ１、ＰＤリセットトランジスタＭｔｘ２、増幅トランジスタＭａ、選択トランジスタＭｂ、ＦＤリセットトランジスタＭｒから構成される。図３に示した画素２８では、信号蓄積部ＦＤを画素内メモリとして用いることにより、グローバルシャッタ機能を可能としている。
【００４７】
フォトダイオードＰＤは、被写体光を光電変換して信号電荷を発生する光電変換部である。信号蓄積部ＦＤは、フォトダイオードＰＤで発生した信号電荷を一時的に保持し、電荷電圧変換する信号蓄積部（フローティングディフュージョン）である。ＰＤリセットトランジスタＭｔｘ２は、ＰＤリセットパルスＴＸ２に応じて、フォトダイオードＰＤで発生した信号電荷を、電圧ＶＤＤのレベルにリセットする。転送トランジスタＭｔｘ１は、行転送パルスＴＸ１に応じて、フォトダイオードＰＤで発生した信号電荷を信号蓄積部ＦＤに転送する。増幅トランジスタＭａは、信号蓄積部ＦＤによって電荷電圧変換された信号を増幅して出力する。この増幅トランジスタＭａは、電源ＶＤＤに接続され、垂直信号線ＶＴＬに設けられた不図示の電流源とでソースフォロア回路が構成されている。信号蓄積部ＦＤから出力された電荷電圧変換後の信号は、このソースフォロア回路によって増幅される。選択トランジスタＭｂは、行選択パルスＳＥＬに応じて、ソースフォロア回路によって増幅された信号を選択し、画素２８の出力信号線である垂直信号線ＶＴＬに出力する。ＦＤリセットトランジスタＭｒは、ＦＤリセットパルスＲＥＳに応じて、信号蓄積部ＦＤでありソースフォロア回路の入力部である増幅トランジスタＭａのゲート部を、電圧ＶＤＤのレベルにリセットする
【００４８】
なお、図３に示した画素２８の構成例において、行転送パルスＴＸ１とＦＤリセットパルスＲＥＳとを同時に印加し、転送トランジスタＭｔｘ１とＦＤリセットトランジスタＭｒとを同時にオンすることによって、信号蓄積部ＦＤをリセットするのみではなく、同時にフォトダイオードＰＤもリセットすることができる。このように、転送トランジスタＭｔｘ１とＦＤリセットトランジスタＭｒとの組み合わせによって、ＰＤリセットトランジスタＭｔｘ２と同様に、フォトダイオードＰＤをリセットすることもできる。
【００４９】
＜グローバルシャッタ動作＞
次に、本第１の実施形態の撮像装置に備えた固体撮像素子の動作について説明する。図４は、本第１の実施形態の撮像装置１００におけるグローバルシャッタ動作のタイミングを示したタイミングチャートである。図４に示したグローバルシャッタ動作のタイミングは、撮像装置１００が静止画像を撮影する際に、駆動制御部８によって行われる固体撮像素子２１の駆動制御である。このグローバルシャッタ動作による駆動制御を連続して行うことによって、撮像装置１００による連写を行うことができる。つまり、撮像装置１００における動画非表示連写シーケンスまたは動画表示連写シーケンスの連写シーケンスにおける静止画像用の画像信号の取得は、グローバルシャッタ動作によって行われる。なお、図４に示したグローバルシャッタ動作のタイミングにおいては、駆動制御部８による駆動制御に応じて固体撮像素子２１内の垂直制御回路２６から出力される画素部２４の制御パルスの内、行転送パルスＴＸ１とＰＤリセットパルスＴＸ２とを示す。
【００５０】
図４（ａ）は、静止画像の撮影動作の際に用いられるグローバルシャッタ動作を示したタイミングチャートである。そして、図４（ａ）は、横軸を時間として、縦方向には画素部２４に配列された画素２８を、１行目からｎ行目（最終行）まで順次選択して画素信号を出力させる様子を示している。なお、図４（ａ）の行転送パルスＴＸ１およびＰＤリセットパルスＴＸ２については、画素部２４の全ての画素２８に同時に印加される信号のタイミングのみを示している。
【００５１】
グローバルシャッタ動作によって静止画像の露光（光信号の蓄積）を行う前に、まず、リセット信号読出期間において、信号蓄積部ＦＤのリセットレベルの読み出しを行う。より具体的には、この期間では、まず、画素部２４の第１行目に配列された各画素２８のＦＤリセットトランジスタＭｒに、“Ｈ”レベルのＦＤリセットパルスＲＥＳを印加して、第１行目の信号蓄積部ＦＤのリセットを行う。さらに、画素部２４の第１行目に配列された各画素２８の選択トランジスタＭｂに、“Ｈ”レベルの行選択パルスＳＥＬを印加する。これにより、画素部２４の第１行目の各画素２８に備えた信号蓄積部ＦＤのリセットレベルの信号が、増幅トランジスタＭａによって増幅されて、選択トランジスタＭｂを介して垂直信号線ＶＴＬに読み出される。ここで読み出されたリセットレベルの信号は、列処理回路部２５、水平制御回路２７を介してＡＤ変換部２２に出力にされ、ＡＤ変換部２２によってデジタルのリセット信号に変換された後に、ノイズ除去部２３に読み出されて記憶される。
【００５２】
このようなリセット信号の読み出し動作によって、画素部２４の第１行目から第ｎ行目（最終行）までの各画素２８を駆動し、全ての画素２８に備えた信号蓄積部ＦＤのリセットレベルの信号の読み出しが完了したところで、リセット信号読出期間を終了する。なお、グローバルシャッタ動作によるリセット信号の読み出し動作においては、列処理回路部２５による相関二重サンプリングの処理は行わない。
【００５３】
続いて、露光期間において、グローバルシャッタ動作による静止画像の露光を行う。より具体的には、まず、画素部２４の全ての画素２８のＰＤリセットパルスＴＸ２を“Ｈ”レベルにして、ＰＤリセットトランジスタＭｔｘ２を同時にオン状態にすることにより、全ての画素２８のフォトダイオードＰＤを一括してリセットする。その後、画素部２４の全ての画素２８のＰＤリセットパルスＴＸ２を“Ｌ”レベルにして、ＰＤリセットトランジスタＭｔｘ２を同時にオフ状態にする。これにより、全ての画素２８のフォトダイオードＰＤへの信号電荷の蓄積（露光）が同時に開始される。
【００５４】
その後、所定の露光時間が経過した後に、画素部２４の全ての画素２８の行転送パルスＴＸ１を“Ｈ”レベルにして、転送トランジスタＭｔｘ１を同時にオン状態にすることにより、露光期間中にフォトダイオードＰＤに蓄積された信号電荷を、信号蓄積部ＦＤに一括して転送する。つまり、全ての画素２８の露光を同時に終了する。
【００５５】
続いて、光信号読出期間において、露光した画素信号を読み出す。より具体的には、この期間では、まず、画素部２４の第１行目に配列された各画素２８の選択トランジスタＭｂに、“Ｈ”レベルの行選択パルスＳＥＬを印加する。これにより、画素部２４の第１行目の各画素２８に備えた信号蓄積部ＦＤによって電荷電圧変換された信号が、増幅トランジスタＭａによって増幅されて、選択トランジスタＭｂを介して垂直信号線ＶＴＬに読み出される。ここで読み出された信号は、列処理回路部２５、水平制御回路２７を介してＡＤ変換部２２に出力にされ、ＡＤ変換部２２によってデジタルの信号に変換された後に、ノイズ除去部２３に読み出される。そして、ノイズ除去部２３において、リセット信号読出期間に記憶したリセット信号と、光信号読出期間に読み出された信号との差分処理が行なわれ、ノイズが除去された光信号が画像処理部３に出力される。
【００５６】
このような光信号の読み出し動作によって、画素部２４の第１行目から第ｎ行目（最終行）までの各画素２８を駆動し、全ての画素２８が露光した画素信号の読み出しが完了したところで、光信号読出期間を終了する。なお、グローバルシャッタ動作による光信号の読み出し動作においては、列処理回路部２５による相関二重サンプリングの処理は行わない。
【００５７】
上記に述べたようなグローバルシャッタ動作を行うことによって、１枚の静止画像用の画像信号が画像処理部３に出力される。なお、グローバルシャッタ動作において画素部２４に配列された画素２８を読み出す順番は、必ずしも画素部２４の第１行目から第ｎ行目（最終行）まで順に読み出す必要はない。すなわち、グローバルシャッタ動作において、画像処理部３に出力する１枚の静止画像用の画像信号を分割して読み出すこともできる。図４（ｂ）は、静止画像用の画像信号を複数に分割して読み出すグローバルシャッタ動作を示したタイミングチャートである。
【００５８】
図４（ｂ）に示したタイミングチャートは、リセット信号読出期間と光信号読出期間における信号の読み出しを、それぞれ３つのフィールドに分けて行った場合の例を示している。ここで、図４（ｂ）では、画素部２４の第１行目、４行目、７行目、・・・の画素２８を第１フィールドｆ−Ａ、第２行目、５行目、８行目、・・・の画素２８を第２フィールドｆ−Ｂ、第３行目、６行目、９行目、・・・の画素２８を第３フィールドｆ−Ｃとしている。そして、最初に第１フィールドｆ−Ａに属する画素２８を読み出し、続いて第２フィールドｆ−Ｂに属する画素２８を読み出し、最後に第３フィールドｆ−Ｃに属する画素２８を読み出すという順番で各画素２８の読み出しを行っている。
【００５９】
なお、図４（ｂ）に示したタイミングチャートにおける各画素２８の駆動は、図４（ａ）に示したタイミングチャートにおける各画素２８の駆動に対して、各画素２８を読み出す順番が異なるのみである。従って、図４（ｂ）に示した複数に分割して読み出すグローバルシャッタ動作の詳細な説明は省略する。
【００６０】
＜ローリングシャッタ動作＞
次に、本第１の実施形態の撮像装置に備えた固体撮像素子におけるローリングシャッタ動作について説明する。図５は、本第１の実施形態の撮像装置１００におけるローリングシャッタ動作のタイミングを示したタイミングチャートである。図５に示したローリングシャッタ動作のタイミングは、撮像装置１００が被撮像範囲をリアルタイムに表示する動画を撮影する際に、駆動制御部８によって行われる固体撮像素子２１の駆動制御である。このローリングシャッタ動作による駆動制御を連続して行うことによって、撮像装置１００が動画表示を行うことができる。つまり、撮像装置１００における動画表示シーケンスにおける動画用の画像信号の取得は、ローリングシャッタ動作によって行われる。なお、図５に示したローリングシャッタ動作のタイミングにおいては、駆動制御部８による駆動制御に応じて固体撮像素子２１内の垂直制御回路２６から出力される画素部２４の制御パルスの内、行転送パルスＴＸ１とＰＤリセットパルスＴＸ２とを示す。
【００６１】
また、図５に示したローリングシャッタ動作のタイミングにおいては、横軸を時間として、縦方向には画素部２４に配列された画素２８を、１行目からｎ行目（最終行）まで順次制御している様子を示している。そして、破線は画素２８をリセットするための走査（リセット走査）を示し、実線は画素２８から光信号を読み出す走査（光信号読み出し走査）を示している。また、行転送パルスＴＸ１およびＰＤリセットパルスＴＸ２は、画素部２４のそれぞれの画素２８を駆動している様子を示している。
【００６２】
ローリングシャッタ動作では、画素部２４の行毎に時間をずらして画素２８のリセット、露光、および光信号の読み出しを順次行うことによって、動画用の画像信号を取得する。より具体的には、例えば、１行目の画素２８の駆動は、まず、画素部２４の第１行目に配列された各画素２８のＰＤリセットトランジスタＭｔｘ２に、“Ｈ”レベルのＰＤリセットパルスＴＸ２を印加して、第１行目のフォトダイオードＰＤのリセットを行う。これにより、フォトダイオードＰＤがリセットされ、画素部２４の第１行目に配列された各画素２８のフォトダイオードＰＤへの信号電荷の蓄積（露光）が開始される。なお、フォトダイオードＰＤのリセットは、以下の駆動によって行うこともできる。まず、画素部２４の第１行目に配列された各画素２８のＦＤリセットトランジスタＭｒに、“Ｈ”レベルのＦＤリセットパルスＲＥＳを印加して、第１行目の信号蓄積部ＦＤのリセットを行う。さらに、画素部２４の第１行目に配列された各画素２８の転送トランジスタＭｔｘ１に、“Ｈ”レベルの行転送パルスＴＸ１を印加して、フォトダイオードＰＤに蓄積されている信号電荷を信号蓄積部ＦＤに転送する。このような駆動を画素部２４の行毎に順次行うことによって、フォトダイオードＰＤをリセットすることもできる。
【００６３】
その後、所定の露光時間が経過した後に、画素部２４の第１行目に配列された各画素２８のＦＤリセットトランジスタＭｒに、“Ｈ”レベルのＦＤリセットパルスＲＥＳを印加して、第１行目の信号蓄積部ＦＤのリセットを行う。その後、画素部２４の第１行目に配列された各画素２８の行転送パルスＴＸ１を“Ｈ”レベルにして、転送トランジスタＭｔｘ１をオン状態にすることにより、第１行目の露光期間中にフォトダイオードＰＤに蓄積された信号電荷を、信号蓄積部ＦＤに転送する。つまり、画素部２４の第１行目の各画素２８の露光を終了する。この期間、画素部２４の第１行目に配列された各画素２８の選択トランジスタＭｂに、“Ｈ”レベルの行選択パルスＳＥＬを印加している。これにより、信号蓄積部ＦＤをリセットしたときのリセットレベルの信号と、フォトダイオードＰＤに蓄積された信号電荷を信号保持部ＦＤに転送した後の電荷電圧変換された信号とが、増幅トランジスタＭａと選択トランジスタＭｂとを介して垂直信号線ＶＴＬに読み出される。そして、列処理回路部２５によって読み出されたリセットレベルの信号と電荷電圧変換された信号との差分処理が行なわれ、画素２８毎のバラツキなどのノイズを除去した光信号を生成する。その後、水平走査回路２７、ＡＤ変換部２２を介して、デジタルの信号に変換された光信号が画像処理部３に出力される。
【００６４】
このような行毎の駆動を画素部２４の第１行目から第ｎ行目（最終行）まで行うことによって、１フレーム分の動画用の画像信号を取得することができる。なお、撮像装置１００の動画（ライブビュー）モードにおいては、画素部２４に配列された全ての画素２８から光信号を読み出すのではなく、画素部２４の行を間引いた光信号の読み出しを行うことができる。
【００６５】
図６は、本第１の実施形態の撮像装置１００において動画モードのときに読み出される画素部２４の行の例を示した図である。図６は、網掛けで示された行の画素２８から光信号を読み出す例を示している。図６に示すように画素部２４の行を間引いて光信号を読み出すことにより、１フレーム分の動画用の画像信号の取得に要する期間を短くすることができ、滑らかな動画表示をすることができる。
【００６６】
なお、動画モードにおいて画素部２４の行を間引いて光信号を読み出す場合の画素２８の駆動方法は、時間をずらして画素２８のリセット、露光、および光信号の読み出しを行う画素部２４の行が異なるのみである。より具体的には、画素部２４に配列された全ての画素２８から光信号を読み出す場合に、第１行目、２行目、３行目、・・・という順番で駆動していたのに対し、例えば、画素部２４の行を１／３間引きで光信号を読み出す場合には、第１行目、４行目、７行目、・・・という順番で駆動する。従って、画素部２４の行を間引いて光信号の読み出すローリングシャッタ動作の詳細な説明は省略する。
【００６７】
次に、本第１の実施形態の撮像装置の動作について説明する。本第１の実施形態の撮像装置１００は、画像信号を読み出す読み出しシーケンスとして、動画表示シーケンスと、動画表示連写シーケンスとを有している。なお、撮像装置１００においては、動画表示シーケンスによって動画用の画像信号を取得する際、画素部２４の行を１／３に間引いて、すなわち、画素部２４の１／３の画素２８から光信号を読み出す。また、動画表示連写シーケンスによって静止画像用の画像信号を取得する際、画素部２４を行毎に３つのフィールドに分けて、それぞれのフィールドに属する画素２８の読み出しを順次行う。
【００６８】
＜第１の読出シーケンス（動画表示連写シーケンス）＞
図７は、本第１の実施形態の撮像装置１００において動画表示を行いながら静止画像を連写するタイミングの第１の例を示したタイミングチャートである。図７は、動画（ライブビュー）モードの動作、すなわち、動画表示シーケンスによって動画用の画像信号を読み出して動画表示をしている最中に、静止画像を連写する指示が入力され、動画表示から静止画像の連写に切り替わる場合のタイミングチャートを示している。そして、図７では、動画表示を行いながら連写を行う動画表示連写シーケンスによって静止画像用の画像信号を連続して読み出す場合を示している。また、図７は、横軸を時間として、縦方向には画素部２４に配列された画素２８を行毎に選択して、画素信号を読み出す様子を示している。
【００６９】
なお、図７では、動画表示シーケンスから動画表示連写シーケンスへの切り替わりを示しているため、図４および図５に示したように、画素２８に入力される駆動パルスのタイミングが読み出しシーケンス毎に異なる。また、動画表示連写シーケンスでは、動画表示を行いながら静止画像の連写を行うため、動画表示連写シーケンス中にも動画用の画像信号の読み出しが行われる。しかし、図７においては、動画表示シーケンスと動画表示連写シーケンスとにおける駆動パルスのタイミングの違い、さらに、動画表示連写シーケンス内における動画用の画像信号の読み出しと、静止画像用の画像信号の読み出しとにおける駆動パルスのタイミングの違いを明確に示すため、画素部２４の全ての画素２８に同時に印加される行転送パルスＴＸ１およびＰＤリセットパルスＴＸ２のタイミングのみを示すこととする。また、図７の動画表示シーケンスの期間では、図５で示したリセット走査と光信号読み出し走査との内、光信号読み出し走査のみを示すこととする。
【００７０】
図７において、動画表示シーケンスの期間では、画素部２４の行を間引きながら動画用の画像信号を読み出す。そして、読み出された動画用の画像信号は、画像処理部３によって表示用の画像処理が行われ、表示部４に表示される。この動画表示シーケンスは、図７に示すように、撮像装置１００に静止画像の連写を指示入力するレリーズボタンの押圧（例えば、２段式押圧ボタンの２段目の押圧）がされるまで、繰り返される。
【００７１】
そして、動画表示を行っている最中に、レリーズボタンによって、静止画像を連写する指示が入力されると、動画表示シーケンスから動画表示連写シーケンスに移行する。動画表示連写シーケンスでは、図４（ｂ）に示したグローバルシャッタ動作において、静止画像用の画像信号を読み出す各フィールドの間の期間に、図５に示したローリングシャッタ動作のタイミングによる動画用の画像信号の読み出しが行われる。すなわち、動画表示連写シーケンスでは、静止画像用の画像信号を読み出すための画素２８の駆動と、動画用の画像信号を読み出すための画素２８の駆動とが、交互に行われる。そして、読み出された動画用の画像信号は、画像処理部３によって表示用の画像処理が行われて、表示部４に表示される。図７においては、３枚の静止画像用の画像信号を連続して取得する間に、１５フレームの動画用の画像信号が読み出される場合を示している。
【００７２】
より具体的には、静止画像用の画像信号を取得するとき、リセット信号読出期間において、図４（ｂ）に示したグローバルシャッタ動作と同様に、フィールドｆ＿Ａ、フィールドｆ＿Ｂ、フィールドｆ＿Ｃの順番でリセット信号の読み出しを行う。また、リセット信号を読み出すフィールドとフィールドとの間（例えば、フィールドｆ＿Ａとフィールドｆ＿Ｂとの間）に、リセット信号の読み出しを完了していないフィールド（図７においては、フィールドｆ＿Ｃ）を用いて、動画用の画像信号の読み出しを行う。図７では、最初に、フィールドｆ＿Ｃを用いて、動画用の画像信号の読み出しを行い、続いて、各フィールドのリセット信号の読み出しを行う例を示している。
【００７３】
なお、リセット信号の読み出しを完了していないフィールドを用いて動画用の画像信号の読み出しを行う理由は、リセット信号の読み出しを完了したフィールドｆ＿Ａ、またはフィールドｆ＿Ｂを使用して動画用の画像信号を取得すると、すでに取得している信号蓄積部ＦＤのリセットレベルを破壊してしまい、次に良好な静止画像用の光信号の読み出しができないためである。
【００７４】
そして、最後に、フィールドｆ＿Ｃのリセット信号を読み出した後に、静止画像の露光期間において、図４（ｂ）に示したグローバルシャッタ動作と同様に、画素部２４内の全ての画素２８の露光を同時に開始する。
【００７５】
そして、光信号読出期間において、図４（ｂ）に示したグローバルシャッタ動作と同様に、フィールドｆ＿Ａ、フィールドｆ＿Ｂ、フィールドｆ＿Ｃの順番で光信号の読み出しを行う。また、光信号を読み出すフィールドとフィールドとの間（例えば、フィールドｆ＿Ａとフィールドｆ＿Ｂとの間）に、光信号の読み出しを完了したフィールド（図７においては、フィールドｆ＿Ａ）を用いて、動画用の画像信号の読み出しを行う。このようにして、動画用の画像信号の読み出しを行いながら、複数の静止画像用の画像信号を連続して読み出す。
【００７６】
なお、光信号の読み出しを完了したフィールドを用いて動画用の画像信号の読み出しを行う理由は、光信号の読み出しを完了してないフィールドｆ＿Ｂ、またはフィールドｆ＿Ｃを使用して動画用の画像信号を取得すると、信号蓄積部ＦＤによって電荷電圧変換された被写体の光信号を破壊してしまうためである。
【００７７】
そして、所望の静止画像の連写撮影が終了した後、再び動画表示シーケンスに移行して、動画表示が再開される。
【００７８】
このように、動画表示連写シーケンスでは、静止画像を連写している期間中の動画表示が一時的に黒表示の状態（ブラックアウト）や、同じ画面が続けて表示される状態（フリーズ）となることがなく、動画表示を継続して行うことができる。その結果、本第１の実施形態の撮像装置１００のユーザーは、表示部４に表示された動画の画像を確認しながら被写体の動きに追従した静止画像の連写を行うことができる。
【００７９】
また、撮像装置１００では、カメラ制御部１０が動画表示連写シーケンスの制御方法を決定する。より具体的には、カメラ制御部１０が、静止画像用の画像信号を読み出すときのフィールド数、および動画用の画像信号を読み出すときの動画の画素数や読み出し時間および読み出し回数を決定する。この静止画像用の画像信号のフィールド数、および動画用の画像信号の画素数や読み出し時間および読み出し回数は、明るさ・速度検出部１３が検出した明るさ・速度情報、または画像信号検出部１２が検出した輝度に相当する情報および被写体の移動速度の情報と、連写速度設定部１０１が設定した目標連写速度設定と、解像度設定部１０２が設定した下限表示設定とに基づいて決定される。
【００８０】
そして、カメラ制御部１０によって決定された制御方法に基づいて、信号読出シーケンス制御部７が、静止画読出シーケンスと動画読出シーケンスとを制御する。これにより、動画表示のフレームレートおよび解像度と、静止画像の連写速度とを変更することができ、被写体の状態に応じて、より最適な動画表示を行いながら静止画像の連写撮影を行うことができる。
【００８１】
＜第１の読出シーケンス（動画表示連写シーケンス：フレームレート優先）＞
図８は、本第１の実施形態の撮像装置１００において動画表示を行いながら静止画像を連写するタイミングの第２の例を示したタイミングチャートである。図８に示した動画表示連写シーケンスのタイミングチャートでは、図７に示した動画表示連写シーケンスのタイミングチャートと同様に、静止画像用の画像信号を読み出すための画素２８の駆動と、動画用の画像信号を読み出すための画素２８の駆動とが、交互に行われる。ただし、図８においては、画素部２４を行毎に５つのフィールドに分けて、それぞれのフィールドに属する画素２８の読み出しを順次行っている。なお、図８における画素部２４を行毎に分けるフィールドの分割数は、連写速度設定部１０１によって設定された目標連写速度設定および解像度設定部１０２によって設定された下限表示設定に基づいて、カメラ制御部１０によって制御されたものである。なお、図８は、２枚の静止画像用の画像信号を連続して取得する間に、１８フレームの動画用の画像信号が読み出される場合を示している。
【００８２】
より具体的に、図８に示した動画表示連写シーケンスのタイミングチャートについて説明する。静止画像用の画像信号を取得するとき、リセット信号読出期間において、フィールドｆ＿Ａ、フィールドｆ＿Ｂ、フィールドｆ＿Ｃ、フィールドｆ＿Ｄ、フィールドｆ＿Ｅの順番でリセット信号の読み出しを行う。また、リセット信号を読み出すフィールドとフィールドとの間（例えば、フィールドｆ＿Ａとフィールドｆ＿Ｂとの間）に、リセット信号の読み出しを完了していないフィールド（図８においては、フィールドｆ＿Ｅ）を用いて、動画用の画像信号の読み出しを行う。図８では、最初に、フィールドｆ＿Ｅを用いて、動画用の画像信号の読み出しを行い、続いて、各フィールドのリセット信号の読み出しを行う例を示している。なお、リセット信号の読み出しを完了していないフィールドｆ＿Ｅを用いて動画用の画像信号の読み出しを行う理由は、図７において説明した理由と同様である。
【００８３】
そして、最後に、フィールドｆ＿Ｅのリセット信号を読み出した後に、静止画像の露光期間において、画素部２４内の全ての画素２８の露光を同時に開始する。
【００８４】
そして、光信号読出期間において、フィールドｆ＿Ａ、フィールドｆ＿Ｂ、フィールドｆ＿Ｃ、フィールドｆ＿Ｄ、フィールドｆ＿Ｅの順番で光信号の読み出しを行う。また、光信号を読み出すフィールドとフィールドとの間（例えば、フィールドｆ＿Ａとフィールドｆ＿Ｂとの間）に、光信号の読み出しを完了したフィールド（図８においては、フィールドｆ＿Ａ）を用いて、動画用の画像信号の読み出しを行う。なお、光信号の読み出しを完了したフィールドｆ＿Ａを用いて動画用の画像信号の読み出しを行う理由は、図７において説明した理由と同様である。このようにして、動画用の画像信号の読み出しを行いながら、複数の静止画像用の画像信号を連続して読み出す。
【００８５】
このように、図８に示した動画表示連写シーケンスにおいても、静止画像を連写している期間中の動画表示を継続して行うことができる。そして、図８に示した動画表示連写シーケンスにおいては、フィールド数を５フィールドに増やしているため、１フィールドあたりの動画用の画像信号に含まれる画素数は減少してしまうが、それぞれのフィールドにおいて動画用の画像信号の読み出しに要する時間を短くすることができる。その結果、動画表示のフレームレートが高くなり、静止画像の連写撮影中の動画表示をより滑らかにすることができる。このフレームレートを優先した動画表示連写シーケンスは、被写体の輝度が高い（輝度の値が大きい）、すなわち、被写体の明るさが明るい場合や、被写体の移動速度が速い場合に適している。
【００８６】
なお、図８に示した動画表示連写シーケンスでは、静止画像用の画像信号の読み出しも５フィールドに増やしているが、この場合であっても連写速度は、図７に示した動画表示連写シーケンスと同様である。すなわち、画素部２４を行毎に分けるフィールド数が異なるのみであり、読み出す静止画像用の画像信号の画素数に変わりはないため、静止画像用の画像信号の読み出しに要する時間に変わりはない。
【００８７】
上記に述べたように、フレームレートを優先した動画表示連写シーケンスでは、画素部２４を行毎に分割するフィールド数を増やすことによって動画表示のフレームレートを高くして、動画表示をより滑らかにすることができる。なお、上記に述べたように、フィールド数の増加に伴って動画用の画像信号に含まれる画素数は減少していく。従って、フレームレートを優先した動画表示連写シーケンスにおいて増やすことができるフィールド数は、解像度設定部１０２が取得した撮像装置１００に備えた表示部４の性能（例えば、下限の解像度）によって許容できる範囲までとなる。
【００８８】
＜第１の読出シーケンス（動画表示連写シーケンス：連写速度優先）＞
図９は、本第１の実施形態の撮像装置１００において動画表示を行いながら静止画像を連写するタイミングの第３の例を示したタイミングチャートである。図９に示した動画表示連写シーケンスのタイミングチャートでは、図７および図８に示した動画表示連写シーケンスのタイミングチャートと同様に、静止画像用の画像信号を読み出すための画素２８の駆動と、動画用の画像信号を読み出すための画素２８の駆動とが、交互に行われる。そして、図９においては、図７に示した動画表示連写シーケンスと同様に、画素部２４を行毎に３つのフィールドに分けて、それぞれのフィールドに属する画素２８の読み出しを順次行っている。ただし、図９では、動画の画素数を図７に示した動画表示連写シーケンスの半分（画素数＝１／２は、間引き率＝２倍）にしている。しかし、図９では、２枚の静止画像用の画像信号を連続して取得する間に、１０フレームの動画用の画像信号が読み出されるため、動画表示のフレームレートは、図７に示した動画表示連写シーケンスと同様である。なお、図９における動画の画素数（間引き率）は、連写速度設定部１０１によって設定された目標連写速度設定および解像度設定部１０２によって設定された下限表示設定に基づいて、カメラ制御部１０によって制御されたものである。
【００８９】
より具体的に、図９に示した動画表示連写シーケンスのタイミングチャートについて説明する。静止画像用の画像信号を取得するとき、リセット信号読出期間において、フィールドｆ＿Ａ、フィールドｆ＿Ｂ、フィールドｆ＿Ｃの順番でリセット信号の読み出しを行う。また、リセット信号を読み出すフィールドとフィールドとの間（例えば、フィールドｆ＿Ａとフィールドｆ＿Ｂとの間）に、リセット信号の読み出しを完了していないフィールド（図９においては、フィールドｆ＿Ｃ）を用いて、動画用の画像信号の読み出しを行う。このとき、フィールドｆ＿Ｃに属する画素２８をさらに１／２に間引いて（例えば、フィールドｆ＿Ｃに属する画素部２４の行を１／２に間引いて）、動画用の画像信号の読み出しを行う。図９では、最初に、フィールドｆ＿Ｃを用いて、動画用の画像信号の読み出しを行い、続いて、各フィールドのリセット信号の読み出しを行う例を示している。
【００９０】
そして、最後に、フィールドｆ＿Ｃのリセット信号を読み出した後に、静止画像の露光期間において、画素部２４内の全ての画素２８の露光を同時に開始する。
【００９１】
そして、光信号読出期間において、フィールドｆ＿Ａ、フィールドｆ＿Ｂ、フィールドｆ＿Ｃの順番で光信号の読み出しを行う。また、光信号を読み出すフィールドとフィールドとの間（例えば、フィールドｆ＿Ａとフィールドｆ＿Ｂとの間）に、光信号の読み出しを完了したフィールド（図９においては、フィールドｆ＿Ａ）を用いて、動画用の画像信号の読み出しを行う。このとき、フィールドｆ＿Ａに属する画素２８をさらに１／２に間引いて（例えば、フィールドｆ＿Ａに属する画素部２４の行を１／２に間引いて）、動画用の画像信号の読み出しを行う。このようにして、動画用の画像信号の間引き読み出しを行いながら、複数の静止画像用の画像信号を連続して読み出す。
【００９２】
このように、図９に示した動画表示連写シーケンスにおいても、静止画像を連写している期間中の動画表示を継続して行うことができる。そして、図９に示した動画表示連写シーケンスにおいては、実際に読み出す動画用の画像信号の画素数を減らしているため、動画表示の解像度は低下してしまうが、動画用の画像信号の読み出しに要する時間を短くすることができる。その結果、静止画像用の画像信号を取得するフィールド間の時間間隔が短くなり、静止画像用の画像信号の読み出しに要する合計の時間も短くなる。そして、図９に示した動画表示連写シーケンスでは、動画表示の解像度が低下してしまうが、図８に示した動画表示連写シーケンスよりも連写速度を向上することができる。すなわち、図８に示した動画表示連写シーケンスにおいて、フィールド数をさらに増やすことによって、図９に示した動画表示連写シーケンスと同様の動画表示の解像度とした場合であっても、連写速度を向上することはできないが、図９に示した動画表示連写シーケンスでは、連写速度を確実に向上することができる。この連写速度を優先した動画表示連写シーケンスは、被写体の輝度が高い（輝度の値が大きい：被写体が明るい）場合や、被写体の移動速度がさらに速い場合に適している。
【００９３】
上記に述べたように、連写速度を優先した動画表示連写シーケンスでは、動画用の画像信号の画素数を減らすことによって、被写体の移動速度に応じてより最適な動画表示を行いながら、静止画像の撮影条件などによって決まる目標連写速度または目標連写速度に近い連写速度まで連写速度を向上した静止画像の連写撮影を行うことができる。なお、連写速度を優先した動画表示連写シーケンスにおける最大の連写速度は、解像度設定部１０２が取得した撮像装置１００に備えた表示部４の性能（例えば、下限の解像度）によって許容できる範囲までとなる。
【００９４】
このように、撮像装置１００では、カメラ制御部１０が、静止画像用の画像信号を読み出すときのフィールド数、および動画用の画像信号を読み出すときの動画の画素数や読み出し時間および読み出し回数を決定することによって、被写体の明るさや移動速度に応じた適切なフレームレートや連写速度の動画表示連写シーケンスとすることができる。その結果、より快適な視認性を確保した、静止画像の連写撮影をユーザーに提供することができる。
【００９５】
なお、図８および図９においては、動画用の画像信号の画素数を減らす方向、すなわち、動画表示の解像度が低下する方向に制御した動画表示連写シーケンスの例を説明したが、逆に、動画表示の解像度を向上する方向に制御することもできる。より具体的には、静止画像用の画像信号のフィールド数を減らして、１フィールドあたりの動画用の画像信号に含まれる画素数を増やすことによって、動画表示のフレームレートは低下してしまうが、動画表示の解像度を向上することができる。また、動画用の画像信号の画素数を増やすことによって、連写速度が低下してしまうが、動画表示の解像度を向上することができる。この動画表示の解像度を優先した動画表示連写シーケンスは、被写体の輝度が低い（輝度の値が小さい）、すなわち、被写体の明るさが暗い場合や、被写体の移動速度が遅い場合に適している。
【００９６】
上記に述べたように、本第１の実施形態の撮像装置１００では、被写体の明るさや移動速度に応じて、カメラ制御部１０が、動画表示連写シーケンスにおけるフィールドの分割数や、動画の画素数（間引き率）などを決定する。
【００９７】
例えば、画像信号検出部１２が検出した被写体輝度が、予め定められた被写体の輝度の閾値よりも大きい（被写体が明るい）場合には、表示部４に表示された動画の画像によって被写体を確認することが容易である。このため、カメラ制御部１０は、動画表示の解像度よりもフレームレートを優先した動画表示連写シーケンスとする。このとき、カメラ制御部１０は、動画表示連写シーケンスにおけるフィールド数を増やす方向にするが、併せて、動画の画素数（間引き率）を上げて、目標連写速度を確保できるように、動画の画素数や読み出し時間および読み出し回数を決定する。なお、このとき、下限表示設定の動画表示は確保できるようにする。また、下限表示設定の動画表示が確保できない場合には、連写速度を下げていく。
【００９８】
また、例えば、画像信号検出部１２が検出した被写体輝度が、予め定められた被写体の輝度の閾値よりも小さい（被写体が暗い）場合には、表示部４に表示された動画の画像によって被写体を確認することが容易ではない。このため、カメラ制御部１０は、動画表示のフレームレートよりも解像度を優先した動画表示連写シーケンスとする。このとき、カメラ制御部１０は、動画表示連写シーケンスにおけるフィールド数を減らす、または動画の画素数（間引き率）を下げて、画素数を増やす方向にするが、併せて、予め定められた最低限の連写速度を確保できるようにする。なお、連写速度が予め定められた速度以下となるような場合には、画素数を減らして最低限の連写速度を確保できるようにする。
【００９９】
また、例えば、画像信号検出部１２が検出した被写体速度が、予め定められた被写体の移動速度の閾値よりも大きい（移動速度が速い）場合には、表示部４に表示された動画の画像によって速い動きの被写体を確認できることが必要となる。このため、カメラ制御部１０は、静止画像の連写速度を優先し、さらに、動画表示の解像度よりもフレームレートを優先した動画表示連写シーケンスとする。このとき、カメラ制御部１０は、動画表示連写シーケンスにおける動画の画素数（間引き率）を上げる方向にするが、併せて、フィールド数を増やし、目標連写速度を確保した上で、動画表示のフレームレートを高くするように、動画の画素数、読み出し時間、読み出し回数、およびフィールド数を決定する。なお、このとき、下限表示設定の動画表示は確保できるようにする。また、下限表示設定の動画表示が確保できない場合には、連写速度を下げていく。
【０１００】
また、例えば、画像信号検出部１２が検出した被写体速度が、予め定められた被写体の移動速度の閾値よりも小さい（移動速度が遅い）場合には、表示部４に表示された動画の画像によって被写体の動きをより確実に確認できることが必要となる。このため、カメラ制御部１０は、静止画像の連写速度は優先せず、動画表示のフレームレートよりも解像度を優先した動画表示連写シーケンスとする。このとき、カメラ制御部１０は、動画表示連写シーケンスにおける動画の画素数（間引き率）を下げる、またはフィールド数を減らして、画素数を増やす方向にするが、併せて、予め定められた最低限の連写速度を確保できるようにする。なお、連写速度が予め定められた速度以下となるような場合には、画素数を減らして最低限の連写速度を確保できるようにする。
【０１０１】
このように、本第１の実施形態の撮像装置１００では、動画表示連写シーケンスにおいて静止画像用の画像信号を読み出すときのフィールド数や、動画用の画像信号を読み出すときの動画の画素数（間引き率）、読み出し時間、および読み出し回数を、被写体の明るさや移動速度に応じた設定にすることができる。なお、フィールド数や、動画の画素数（間引き率）、読み出し時間、および読み出し回数の設定は、例えば、被写体の明るさや移動速度に応じたテーブル情報を予め準備しておき、このテーブル情報に基づいて、対応する被写体の明るさや移動速度に応じた設定を行うようというような方法がある。
【０１０２】
ここで、動画表示連写シーケンスにおけるフィールド数の設定と動画の周期および静止画像の連写間隔の例について説明する。動画表示連写シーケンスにおいて、フィールド数や動画の画素数（間引き率）などを決定する際には、動画表示連写シーケンスにおける静止画像用の画像信号の１フィールドの画素数、動画用の画像信号の１フレームに含まれる画素数、動画用の画像信号を読み出す周期、および静止画像の連写速度を表す連写間隔が考慮される。
【０１０３】
動画表示連写シーケンスにおける静止画像用の画像信号の１フィールドの画素数Ｐｘｆは、全ての画素数Ｐｘと、静止画のフィールド数ｆとから、下式（２）のように算出することができる。
【０１０４】
Ｐｘｆ＝Ｐｘ／ｆ  ・・・・・（２）
【０１０５】
また、動画表示連写シーケンスにおける動画用の画像信号の１フレームに含まれる画素数ＰｘＦは、全ての画素数Ｐｘと、動画のフレーム数Ｆと、間引き率Ｒｔとから、下式（３）のように算出することができる。
【０１０６】
ＰｘＦ＝（Ｐｘ／Ｆ）／Ｒｔ  ・・・・・（３）
【０１０７】
また、動画表示連写シーケンスにおける動画用の画像信号を読み出す周期（動画の周期）Ｐｍは、全ての画素の読み出し時間Ｔｒと、静止画のフィールド数ｆと、動画のフレーム数Ｆと、間引き率Ｒｔとから、下式（４）のように算出することができる。
【０１０８】
Ｐｍ＝（Ｔｒ／ｆ）＋（（Ｔｒ／Ｆ）／Ｒｔ）  ・・・・・（４）
【０１０９】
ここで、上式（４）の右辺の第１項（Ｔｒ／ｆ）は、１フィールドの静止画像用の画像信号の読み出し時間、右辺の第２項（（Ｔｒ／Ｆ）／Ｒｔ）は、１フレームの動画用の画像信号の読み出し時間を表している。また、動画の周期Ｐｍは、静止画像用の画像信号の取得における１フィールドの画像信号（リセット信号読出期間におけるリセット信号、および光信号読出期間における光信号）を読み出す周期に相当する。
【０１１０】
また、動画表示連写シーケンスにおける静止画像の連写速度を表す連写間隔Ｔｃは、動画の周期Ｐｍ（１フィールドの静止画像用の画像信号を読み出す周期）と、静止画のフィールド数ｆとから、下式（５）のように算出することができる。
【０１１１】
Ｔｃ＝（Ｐｍ×ｆ）×２  ・・・・・（５）
【０１１２】
ここで、上式（５）の右辺の第１項（Ｐｍ×ｆ）は、静止画像の露光期間の前後におけるリセット信号読出期間または光信号読出期間を表している。そして、上式（５）の右辺の第２項で“２”を乗算することによって、静止画像用の画像信号を取得する全ての期間を表している。ただし、実際には静止画像の露光期間も含まれるため、実際の静止画像の連写撮影における連写間隔は、上式（５）によって算出した連写間隔Ｔｃに静止画像の露光期間を加算した時間の間隔となる。
【０１１３】
図１０は、本第１の実施形態の撮像装置１００における動画の画素数および周期と静止画像の連写間隔との関係をまとめた図である。図１０は、画素部２４内の全ての画素数を６００万画素（６Ｍ）とし、この６００万画素を１／１０［ｓｅｃ］で読み出す場合を例とした場合の、上記に述べた動画表示連写シーケンスにおける、それぞれの値を算出した例を示している。図１０の１段目、２段目、３段目は、それぞれ、図７、図８、図９に示した動画表示連写シーケンスにおける静止画像用の画像信号の１フィールドの画素数Ｐｘｆ、動画用の画像信号の１フレームに含まれる画素数ＰｘＦ、動画の周期Ｐｍ、連写間隔Ｔｃを示している。また、図１０の４段目は、撮像装置１００に備えた表示部４で許容することができる下限の解像度（画素数）が、５０万画素（０．５Ｍ）であると仮定した場合の、それぞれの値を示している。これは、図９に示した動画表示連写シーケンスに対して、動画の画素数をさらに半分、ずなわち、図７に示した動画表示連写シーケンスに対して１／４（画素数＝１／４は、間引き率＝４倍）とした場合に相当する。
【０１１４】
なお、実際の静止画像の露光期間は、静止画像の撮影条件などによって決まり、必ずしも同じ時間とならない。このため、図１０では、説明を容易にするという目的から、連写間隔Ｔｃにおける静止画像の露光期間を“０”として省略した場合を示すこととする。
【０１１５】
図１０を見てわかるように、動画の画素数（間引き率）が同じである図１０の１段目（図７）と２段目（図８）とを比較した場合は、動画のフレーム数が多い方が、動画用の画像信号の１フレームに含まれる画素数ＰｘＦ、すなわち、動画表示の解像度が低くなる。しかし、動画の周期Ｐｍは短く、すなわち、動画表示のフレームレートは高くなる。そして、このときの連写間隔Ｔｃ、すなわち、連写速度は同じである。
【０１１６】
また、図１０を見てわかるように、動画の画素数（間引き率）が異なる図１０の１段目（図７）と３段目（図９）とを比較した場合は、動画の間引き率が高い方が、動画表示の解像度（画素数ＰｘＦ）が低くなる。そして、連写速度（連写間隔Ｔｃ）は速くなる。なお、図１０の３段目（図９）においては、動画表示の解像度が低いことによって、動画表示のフレームレート（動画の周期Ｐｍ）も少し高くなっている。
【０１１７】
また、図１０を見てわかるように、動画の画素数（間引き率）がさらに高くなった図１０の１段目（図７）と４段目、または３段目（図９）と４段目を比較した場合は、動画の間引き率が高い方が、動画表示の解像度（画素数ＰｘＦ）が、さらに低くなる。そして、連写速度（連写間隔Ｔｃ）も、さらに速くなる。また、動画表示の解像度がさらに低いことによって、動画表示のフレームレート（動画の周期Ｐｍ）も、さらに高くなり、動画のフレーム数を増やした場合と、ほぼ同等のフレームレートとなっている。このことから、動画の画素数（間引き率）を高くすることは、動画表示の解像度を同等とした場合において、動画表示のフレームレートと連写速度との両方を向上させるのに有効であるといえる。
【０１１８】
上記に述べたように、本第１の実施形態の撮像装置１００では、動画表示連写シーケンスにおいて静止画像用の画像信号を読み出すときのフィールド数や、動画用の画像信号を読み出すときの動画の画素数（間引き率）、読み出し時間、および読み出し回数を、被写体の明るさや移動速度に応じた設定にすることができる。また、画像信号検出部１２では、撮像部２から読み出された動画用の画像信号に基づいて、被写体の明るさや移動速度を検出することができる。そして、本第１の実施形態の撮像装置１００では、明るさ・速度検出部１３または画像信号検出部１２が検出した被写体の明るさや移動速度に基づいて、動画表示連写シーケンス内の静止画像用の画像信号の読み出し動作（静止画読出シーケンス）と、動画用の画像信号の読み出し動作（動画読出シーケンス）とを制御することができる。これにより、被写体の明るさや移動速度が変化した場合でも、動画表示連写シーケンスにおいて表示される動画表示のフレームレートや解像度を、適宜制御することができ、より最適な動画表示を行いながら静止画像の連写撮影を行うことができる。
【０１１９】
なお、動画表示連写シーケンスにおけるフィールド数や、動画の画素数（間引き率）、読み出し時間、および読み出し回数の設定は、例えば、被写体の明るさや移動速度に応じたテーブル情報を予め準備しておき、このテーブル情報に基づいて、対応する被写体の明るさや移動速度に応じた設定を行うようというような方法がある。
【０１２０】
なお、画像信号検出部１２において、被写体の移動速度を検出する場合、撮像装置１００が固定されているときには、動画用の画像信号に含まれる被写体の領域から移動速度を検出することができる。しかし、ユーザーが被写体の動きに追従しているときには、被写体の領域から移動速度を検出すると、実際の被写体の移動速度と異なる移動速度を検出してしまうことがある。このようなときには、例えば、動画用の画像信号に含まれる被写体の領域と異なる背景の領域に基づいて、移動速度を検出するようにすることもできる。また、例えば、明るさ・速度検出部１３が検出した撮像装置１００自体の動きの情報と、動画用の画像信号に含まれる被写体の領域または背景の領域とに基づいて、移動速度を検出するようにすることもできる。
【０１２１】
また、本第１の実施形態の撮像装置１００の連写モードにおいては、ユーザーが動画表示連写シーケンスにおいて静止画像用の画像信号を読み出すときのフィールド数、または動画用の画像信号を読み出すときの動画の画素数や読み出し時間および読み出し回数を変更するようにすることもできる。例えば、連写シーケンスにおける現在の設定の状態を表示部４に表示する。そして、ユーザーは、表示部４に表示された動画表示連写シーケンスの設定を確認しながら、カメラ操作部１１を操作して、フィールド数や動画の画素数（間引き率）などを決定する。
【０１２２】
＜第２の実施形態＞
次に、本実施形態の撮像装置の別の構成について説明する。図１１は、本第２の実施形態における撮像装置の概略構成を示したブロック図である。図１１に示した撮像装置２００は、レンズ１と、撮像部２と、画像処理部３と、表示部４と、読出シーケンス設定部６と、信号読出シーケンス制御部７と、駆動制御部８と、レンズ制御部９と、カメラ制御部１０と、カメラ操作部１１と、輝度検出部３２と、速度検出部３３と、を備えている。また、カメラ制御部１０には、連写速度設定部１０１と、解像度設定部１０２と、を備えている。なお、図１１に示した撮像装置１００の構成要素であるメモリカード５は、撮像装置１００に対して着脱可能に構成されており、撮像装置１００に固有の構成でなくてもよい。
【０１２３】
図１１に示した本第２の実施形態の撮像装置２００は、図１に示した撮像装置１００の構成要素である画像信号検出部１２に代わって輝度検出部３２を備え、明るさ・速度検出部１３に代わって速度検出部３３を備えた構成である。従って、撮像装置２００において撮像装置１００と同様の構成要素には、同一の符号を付与し、詳細な説明は省略する。
【０１２４】
速度検出部３３は、例えば、ジャイロセンサーなどを備え、撮像装置２００自体の動きを検出することによって、被写体が移動する速度を検出する。また、速度検出部３３は、検出した被写体の移動速度を表す情報（以下、「速度情報」という）を、カメラ制御部１０に出力する。
【０１２５】
輝度検出部３２は、撮像部２内の固体撮像素子から読み出された動画用の画像信号に基づいて、撮像装置１００の被写体の明るさを検出する。輝度検出部３２における被写体の明るさの検出は、例えば、動画用の画像信号に含まれる画素領域の平均値を求めるなどの処理を行うことによって、被写体の明るさ、すなわち、輝度に相当する情報を検出することができる。輝度検出部３２は、輝度に相当する情報を、カメラ制御部１０に出力する。
【０１２６】
カメラ制御部１０は、速度検出部３３が検出した速度情報と、輝度検出部３２が検出した輝度に相当する情報と、連写速度設定部１０１によって設定された目標連写速度設定と、解像度設定部１０２によって設定された下限表示設定とに基づいて、動画表示連写シーケンスの制御方法を決定する。そして、決定した動画表示連写シーケンスの制御方法を、動画表示連写シーケンスに関する情報として、信号読出シーケンス制御部７に出力する。
【０１２７】
図１に示した撮像装置１００では、画像信号検出部１２と明るさ・速度検出部１３とが、それぞれ、被写体の明るさや移動速度の情報を検出し、カメラ制御部１０が、いずれか一つの構成要素が検出した被写体の明るさおよび移動速度の情報に基づいて、動画表示連写シーケンスの制御方法を決定していた。撮像装置２００では、輝度検出部３２が被写体の明るさ、速度検出部３３が被写体の移動速度を、それぞれ検出し、検出したそれぞれの情報に基づいて、カメラ制御部１０が、動画表示連写シーケンスの制御方法を決定する構成である。従って、撮像装置２００においては、カメラ制御部１０によって行われる動画表示連写シーケンスの制御方法を決定処理や、撮像装置２００における動画表示連写シーケンスは、図１に示した第１の実施形態の撮像装置１００と同様であるため、詳細な説明は省略する。
【０１２８】
上記に述べたように、本第２の実施形態の撮像装置２００においても、第１の実施形態の撮像装置１００と同様に、動画表示連写シーケンスにおいて静止画像用の画像信号を読み出すときのフィールド数や、動画用の画像信号を読み出すときの動画の画素数（間引き率）、読み出し時間、および読み出し回数を、被写体の明るさや移動速度に応じた設定にすることができる。これにより、第１の実施形態の撮像装置１００と同様に、被写体の明るさや移動速度が変化した場合でも、動画表示連写シーケンスにおいて表示される動画表示のフレームレートや解像度を、適宜制御することができ、より最適な動画表示を行いながら静止画像の連写撮影を行うことができる。
【０１２９】
また、本第２の実施形態の撮像装置２００では、輝度検出部３２が被写体の明るさを検出し、速度検出部３３が被写体の移動速度を検出する。その結果、第１の実施形態の撮像装置１００よりも容易に撮像装置２００を構成することができる。
【０１３０】
＜第３の実施形態＞
次に、本実施形態の撮像装置の、さらに別の構成について説明する。図１２は、本第３の実施形態における撮像装置の概略構成を示したブロック図である。図１２に示した撮像装置３００は、レンズ１と、撮像部２と、画像処理部３と、表示部４と、読出シーケンス設定部６と、信号読出シーケンス制御部７と、駆動制御部８と、レンズ制御部９と、カメラ制御部１０と、カメラ操作部１１と、移動速度検出部４２と、明るさ検出部４３と、を備えている。また、カメラ制御部１０には、連写速度設定部１０１と、解像度設定部１０２と、を備えている。なお、図１２に示した撮像装置１００の構成要素であるメモリカード５は、撮像装置１００に対して着脱可能に構成されており、撮像装置１００に固有の構成でなくてもよい。
【０１３１】
図１２に示した本第３の実施形態の撮像装置３００は、図１に示した撮像装置１００の構成要素である画像信号検出部１２に代わって移動速度検出部４２を備え、明るさ・速度検出部１３に代わって明るさ検出部４３を備えた構成である。従って、撮像装置３００において撮像装置１００と同様の構成要素には、同一の符号を付与し、詳細な説明は省略する。
【０１３２】
明るさ検出部４３は、例えば、明るさセンサーなどを備え、撮像装置１００の被撮像範囲の明るさを検出することによって、被写体の明るさを検出する。また、明るさ検出部４３は、検出した被写体の明るさを表す情報（以下、「明るさ情報」という）を、カメラ制御部１０に出力する。
【０１３３】
移動速度検出部４２は、撮像部２内の固体撮像素子から読み出された動画用の画像信号に基づいて、撮像装置１００の被写体が移動する速度を検出する。移動速度検出部４２における被写体の移動速度の検出は、例えば、動画のフレーム間の相関関係を用いることにより検出することができる。移動速度検出部４２は、被写体の移動速度の情報を、カメラ制御部１０に出力する。
【０１３４】
カメラ制御部１０は、明るさ検出部４３が検出した明るさ情報と、移動速度検出部４２が検出した被写体の移動速度の情報と、連写速度設定部１０１によって設定された目標連写速度設定と、解像度設定部１０２によって設定された下限表示設定とに基づいて、動画表示連写シーケンスの制御方法を決定する。そして、決定した動画表示連写シーケンスの制御方法を、動画表示連写シーケンスに関する情報として、信号読出シーケンス制御部７に出力する。
【０１３５】
図１に示した撮像装置１００では、画像信号検出部１２と明るさ・速度検出部１３とが、それぞれ、被写体の明るさや移動速度の情報を検出し、カメラ制御部１０が、いずれか一つの構成要素が検出した被写体の明るさおよび移動速度の情報に基づいて、動画表示連写シーケンスの制御方法を決定していた。撮像装置３００では、移動速度検出部４２が被写体の移動速度、明るさ検出部４３が被写体の明るさを、それぞれ検出し、検出したそれぞれの情報に基づいて、カメラ制御部１０が、動画表示連写シーケンスの制御方法を決定する構成である。従って、撮像装置３００においては、カメラ制御部１０によって行われる動画表示連写シーケンスの制御方法を決定処理や、撮像装置３００における動画表示連写シーケンスは、図１に示した第１の実施形態の撮像装置１００と同様であるため、詳細な説明は省略する。
【０１３６】
上記に述べたように、本第３の実施形態の撮像装置３００においても、第１の実施形態の撮像装置１００と同様に、動画表示連写シーケンスにおいて静止画像用の画像信号を読み出すときのフィールド数や、動画用の画像信号を読み出すときの動画の画素数（間引き率）、読み出し時間、および読み出し回数を、被写体の明るさや移動速度に応じた設定にすることができる。これにより、第１の実施形態の撮像装置１００と同様に、被写体の明るさや移動速度が変化した場合でも、動画表示連写シーケンスにおいて表示される動画表示のフレームレートや解像度を、適宜制御することができ、より最適な動画表示を行いながら静止画像の連写撮影を行うことができる。
【０１３７】
また、本第３の実施形態の撮像装置３００では、移動速度検出部４２が被写体の移動速度を検出し、明るさ検出部４３が被写体の明るさを検出する。その結果、第１の実施形態の撮像装置１００よりも容易に撮像装置３００を構成することができる。
【０１３８】
上記に述べたように、本発明を実施するための形態によれば、被写体の明るさや移動速度に応じて、動画表示連写シーケンスにおけるフィールドの分割数や、動画の画素数（間引き率）などを制御することによって、動画表示連写シーケンス内の静止画像用の画像信号の読み出し動作（静止画読出シーケンス）と、動画用の画像信号の読み出し動作（動画読出シーケンス）とを制御することができる。これにより、被写体の明るさが暗い状態に変化した場合や、被写体の移動速度が変化した場合などにおいても、動画表示のフレームレートや解像度を適宜制御することができる。その結果、撮像装置のシステム全体として、ユーザーに快適な視認性を確保した、静止画像の連写撮影を提供することができる。
【０１３９】
なお、本発明のある態様に係る撮像装置における読出制御部は、本実施形態においては、例えば、駆動制御部８と、垂直制御回路２６と、水平制御回路２７とに対応し、信号読出シーケンス制御部は、例えば、信号読出シーケンス制御部７と、カメラ制御部１０とに対応する。また、本発明のある態様に係る輝度検出部は、本実施形態においては、例えば、画像信号検出部１２、明るさ・速度検出部１３、輝度検出部３２、または明るさ検出部４３に対応し、移動速度検出部は、例えば、画像信号検出部１２、明るさ・速度検出部１３、速度検出部３３、または移動速度検出部４２に対応する。また、本発明のある態様に係る最大連写速度取得部は、本実施形態においては、例えば、連写速度設定部１０１に対応し、下限解像度取得部は、例えば、解像度設定部１０２に対応する。また、本発明のある態様に係る入力受付部は、本実施形態においては、例えば、カメラ操作部１１およびカメラ制御部１０に対応し、出力部は、例えば、表示部４に対応する。
【０１４０】
なお、本発明を実施するための形態では、連写シーケンスに移行する前に、例えば、明るさ・速度検出部１３または画像信号検出部１２が検出した被写体の明るさや移動速度に基づいて、カメラ制御部１０が、動画表示連写シーケンスにおけるフィールドの分割数や、動画の画素数（間引き率）などを決定する場合について説明した。しかし、カメラ制御部１０が決定する動画表示連写シーケンスの制御方法は、本発明を実施するための形態に限定されるものではない。例えば、静止画像の連写撮影の動作中においても、例えば、明るさ・速度検出部１３または画像信号検出部１２が検出した被写体の明るさや移動速度に基づいて、動画表示連写シーケンスにおけるフィールド数や、動画の画素数（間引き率）、読み出し時間、および読み出し回数を切り替えるようにすることもできる。
【０１４１】
なお、本発明を実施するための形態においては、動画表示連写シーケンスにおいて、静止画像用の画像信号の読み出しと、動画用の画像信号を読み出しとが、交互に行われる場合について説明した。しかし、動画表示連写シーケンス内の動作は、本発明を実施するための形態に限定されるものではない。例えば、動画表示連写シーケンスにおいて、動画用の画像信号の読み出し回数を減らしたり、逆に増やしたりすることもできる。
【０１４２】
なお、上記に述べたように、動画用の画像信号に含まれる画素数を減らすほど、動画用の画像信号の読み出しに要する時間が短くなり、動画表示のフレームレートまたは連写速度の向上をすることができる。ただし、上記に述べたように、画素数を減らすほど、動画表示の解像度は減少する。このため、例えば、動画表示連写シーケンスに移行する前の動画用の画像信号から被写体に応じた動画表示が許容できる解像度の下限を決めた上で、動画表示連写シーケンス内の動作を制御するようにすることが望ましい。例えば、撮像装置１００に備えた表示部４の性能に応じて許容される下限の解像度を維持した上で、最大の連写速度が得られるように制御する。これにより、快適な動画表示を行いながら快適に静止画像を連写する連写速度を上げることができる。例えば、図１０の４段目の設定においては、下限の解像度を５０万画素（０．５Ｍ）とすることによって、４コマ／秒の連写速度を得ることができる。
【０１４３】
また、逆に被写体の移動速度、輝度から撮像装置が実行することができる最大の連写速度を決定し、その上で動画表示連写シーケンス内の動作を制御して、動画表示のフレームレートと解像度とを決めることによって、快適な静止画像の連写撮影も行うことができる。
【０１４４】
また、本発明における回路構成および駆動方式の具体的な構成は、本発明を実施するための形態に限定されるものではなく、本発明の趣旨を逸脱しない範囲において種々の変更をすることができる。例えば、画素の構成要素および駆動方法が変わった場合においても、例えば、撮像部２や固体撮像素子２１内の構成要素や回路構成に応じて駆動方法を変更することによって対応することができる。
【０１４５】
また、画素の行方向および列方向の配置は、本発明を実施するための形態に限定されるものではなく、本発明の趣旨を逸脱しない範囲において画素を配置する行方向および列方向の数を変更することができる。
【０１４６】
また、本発明を実施するための形態では、動画用の画像信号を用いずに被写体の移動速度を検出する場合の例として、ジャイロセンサーを用いて撮像装置自体の動きを検出することによって、被写体が移動する速度を検出する場合について説明した。しかし、動画用の画像信号を用いずに被写体の移動速度を検出する方法は、本発明を実施するための形態に限定されるものではない。例えば、被写体の移動速度を検出するための専用のセンサを用いることもできる。また、本発明を実施するための形態では、動画用の画像信号を用いずに被写体の明るさを検出する場合の例として、明るさセンサーを用いて撮像装置の被撮像範囲の明るさを検出する場合について説明した。しかし、動画用の画像信号を用いずに被写体の明るさを検出する方法は、本発明を実施するための形態に限定されるものではない。例えば、被写体の明るさを直接検出するための専用のセンサを用いることもできる。
【０１４７】
以上、本発明を実施するための形態をもとに説明したが、各構成要素や各処理プロセスの任意の組み合わせ、本発明の表現をコンピュータプログラムプロダクトなどに変換したものもまた、本発明の態様として有効である。ここで、コンピュータプログラムプロダクトとは、プログラムコードが記録された記録媒体（ＤＶＤ媒体、ハードディスク媒体、メモリ媒体など）、プログラムコードが記録されたコンピュータ、プログラムコードが記録されたインターネットシステム（例えば、サーバとクライアント端末を含むシステム）など、プログラムコードが記録された記録媒体、装置、機器やシステムをいう。この場合、上述した各構成要素や各処理プロセスは各モジュールで実装され、その実装されたモジュールからなるプログラムコードはコンピュータプログラムプロダクト内に記録される。
【０１４８】
例えば、本発明のある態様に係るコンピュータプログラムプロダクトは、撮像素子上に配置された複数の画素からの画素信号の読み出しを制御する読出制御モジュールと、静止画用および動画用の前記画素信号の読み出しに係わる画素信号読出シーケンスを含み、かつ、連写を行いながら動画表示を行うことを目的とした第１の読出シーケンスを、少なくとも設定可能な読出シーケンス設定モジュールと、前記読み出された画素信号に基づいて、前記第１の読出シーケンス内の一つ以上の前記画素信号読出シーケンスの設定を制御する信号読出シーケンス制御モジュールと、をコンピュータに実行させるためのプログラムコードが記録されたコンピュータプログラムプロダクトである。
【０１４９】
また、例えば、図１に示した撮像装置１００の各構成要素による処理を実現するためのプログラムをコンピュータ読み取り可能な記録媒体に記録して、当該記録媒体に記録されたプログラムをコンピュータシステムに読み込ませ、実行することにより、撮像装置１００に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１５０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【０１５１】
以上、本発明の実施形態について、図面を参照して説明してきたが、具体的な構成はこの実施形態に限定されるものではなく、本発明の趣旨を逸脱しない範囲においての種々の変更も含まれる。
【０１５２】
また、本発明のある態様に係る撮像装置は、撮像素子上に配置された複数の画素からの画素信号の読み出しを制御する読出制御手段と、静止画用および動画用の前記画素信号の読み出しに係わる画素信号読出シーケンスを含み、かつ、連写を行いながら動画表示を行うことを目的とした第１の読出シーケンスを、少なくとも設定可能な読出シーケンス設定手段と、前記読み出された画素信号に基づいて、前記第１の読出シーケンス内の一つ以上の前記画素信号読出シーケンスの設定を制御する信号読出シーケンス制御手段と、を備えることを特徴とする撮像装置であってもよい。
【０１５３】
また、本発明のある態様に係る撮像装置は、撮像素子上に配置された複数の画素からの画素信号の読み出しを制御する読出制御手段と、静止画用および動画用の前記画素信号の読み出しに係わる画素信号読出シーケンスを含み、かつ、連写を行いながら動画表示を行うことを目的とした第１の読出シーケンスを、少なくとも設定可能な読出シーケンス設定手段と、被写体の輝度を検出する輝度検出手段と、前記輝度検出手段が検出した前記被写体の輝度に基づいて、前記第１の読出シーケンス内の一つ以上の前記画素信号読出シーケンスの設定を制御する信号読出シーケンス制御手段と、を備えることを特徴とする撮像装置であってもよい。
【０１５４】
また、本発明のある態様に係る撮像装置は、撮像素子上に配置された複数の画素からの画素信号の読み出しを制御する読出制御手段と、静止画用および動画用の前記画素信号の読み出しに係わる画素信号読出シーケンスを含み、かつ、連写を行いながら動画表示を行うことを目的とした第１の読出シーケンスを、少なくとも設定可能な読出シーケンス設定手段と、被写体が移動する速度を検出する移動速度検出手段と、前記移動速度検出手段が検出した前記被写体の移動速度に基づいて、前記第１の読出シーケンス内の一つ以上の前記画素信号読出シーケンスの設定を制御する信号読出シーケンス制御手段と、を備えることを特徴とする撮像装置であってもよい。
【０１５５】
以上、本発明の実施形態について、図面を参照して説明してきたが、具体的な構成はこの実施形態に限定されるものではなく、本発明の趣旨を逸脱しない範囲において種々の代替物、変形、等価物による変更を行うこともできる。従って、本発明の範囲は、上記の説明を参照して決められるものではなく、請求項によって決められるべきであり、均等物の全ての範囲も含まれる。また、上述した特徴は、いずれも、好ましいか否かを問わず、他の特徴と組み合わせてもよい。また、請求項において、明示的に断らない限り、各構成要素は１またはそれ以上の数量である。また、請求項において「〜のための手段」のような語句を用いて明示的に記載する場合を除いて、請求項が、ミーンズ・プラス・ファンクションの限定を含むものと解してはならない。
【符号の説明】
【０１５６】
１００，２００，３００・・・撮像装置
１・・・レンズ
２・・・撮像部
２１・・・固体撮像素子
２２・・・ＡＤ変換部
２３・・・ノイズ除去部
２４・・・画素部
２５・・・列処理回路部
２６・・・垂直制御回路
２７・・・水平制御回路
２８・・・画素
３・・・画像処理部
４・・・表示部
５・・・メモリカード
６・・・読出シーケンス設定部
７・・・信号読出シーケンス制御部
８・・・駆動制御部
９・・・レンズ制御部
１０・・・カメラ制御部
１０１・・・連写速度設定部
１０２・・・解像度設定部
１１・・・カメラ操作部
１２・・・画像信号検出部
１３・・・明るさ・速度検出部
３２・・・輝度検出部
３３・・・速度検出部
４２・・・移動速度検出部
４３・・・明るさ検出部
ＰＤ・・・フォトダイオード
ＦＤ・・・信号蓄積部
Ｍｔｘ１・・・転送トランジスタ
Ｍｔｘ２・・・ＰＤリセットトランジスタ
Ｍａ・・・増幅トランジスタ
Ｍｂ・・・選択トランジスタ
Ｍｒ・・・ＦＤリセットトランジスタ
【図１】
2012023497.tif 000003
【図２】
2012023497.tif 000004
【図３】
2012023497.tif 000005
【図４】
2012023497.tif 000006
【図５】
2012023497.tif 000007
【図６】
2012023497.tif 000008
【図７】
2012023497.tif 000009
【図８】
2012023497.tif 000010
【図９】
2012023497.tif 000011
【図１０】
2012023497.tif 000012
【図１１】
2012023497.tif 000013
【図１２】
2012023497.tif 000014